(57)【要約】【課題】接続詞などの手がかり語が文章中に存在しない場合や、文章間の接続関係を取得できない場合であっても、例示部分を特定することが可能な例示部分特定装置、例示部分特定方法、及び例示部分特定プログラムを提供する。【解決手段】情報処理装置は、文書の中から文書の主題を抽出するとともに、上位下位語データベースを参照して、文書の中から、上位下位語データベースに登録されている語が含まれている文書の構成部分を文書の例示部分候補として抽出する。そして、情報処理装置は、抽出された例示部分候補に含まれる語の数を第１の出現数とし、抽出された主題と当該主題の上位語との少なくとも何れか一方の数を第２の出現数とした場合に、前記第１の出現数に対する前記第２の出現数の割合を算出し、当該割合に基づいて、前記例示部分候補抽出手段により抽出された例示部分候補の中から、文書の例示部分を特定する。【選択図】図２
2014174744.tif 000002
【特許請求の範囲】
【請求項１】
複数の事象又は事物の上位語と下位語とを対応付けて登録する上位下位語データベースを参照可能な例示部分特定装置であって、
文書データを所定の記憶手段から取得する文書取得手段と、
前記文書取得手段により取得された文書データに係る文書の中から文書の主題を抽出する主題抽出手段と、
前記上位下位語データベースを参照して、前記文書取得手段により取得された文書データに係る文書の中から、前記上位下位語データベースに登録されている語が含まれている文書の構成部分を文書の例示部分候補として抽出する例示部分候補抽出手段と、
前記例示部分候補抽出手段により抽出された例示部分候補に含まれる語の数を第１の出現数とし、前記主題抽出手段により抽出された主題と当該主題の上位語との少なくとも何れか一方の数を第２の出現数とした場合に、前記第１の出現数に対する前記第２の出現数の割合を算出する割合算出手段と、
前記割合算出手段により算出された割合に基づいて、前記例示部分候補抽出手段により抽出された例示部分候補の中から、文書の例示部分を特定する例示部分特定手段と、
を備えることを特徴とする例示部分特定装置。
【請求項２】
前記主題抽出手段により抽出される文書の主題は、前記上位下位語データベースに登録されている語に限られることを特徴とする請求項１に記載の例示部分特定装置。
【請求項３】
前記例示部分特定手段により特定された例示部分又は当該例示部分の要約を所定の表示手段に表示させるための表示データを出力する表示データ出力手段を更に備えることを特徴とする請求項１又は２に記載の例示部分特定装置。
【請求項４】
前記表示データは、前記文書取得手段により取得された文書データに係る文書の構成部分又は当該構成部分の要約であって前記例示部分特定手段により特定された例示部分に関係する構成部分又は当該構成部分の要約を、前記例示部分又は当該例示部分の要約に対応付けて表示させるためのデータであることを特徴とする請求項３に記載の例示部分特定装置。
【請求項５】
前記表示データは、前記例示部分特定手段により特定された例示部分又は当該例示部分の要約の表示可否をユーザの指示に応じて切り換え可能なデータであることを特徴とする請求項４に記載の例示部分特定装置。
【請求項６】
複数の事象又は事物の上位語と下位語とを対応付けて登録する上位下位語データベースを参照可能なコンピュータにより実行される例示部分特定方法であって、
文書データを所定の記憶手段から取得する文書取得ステップと、
前記文書取得ステップにより取得された文書データに係る文書の中から文書の主題を抽出する主題抽出ステップと、
前記上位下位語データベースを参照して、前記文書取得ステップにより取得された文書データに係る文書の中から、前記上位下位語データベースに登録されている語が含まれている文書の構成部分を文書の例示部分候補として抽出する例示部分候補抽出ステップと、
前記例示部分候補抽出ステップにより抽出された例示部分候補に含まれる語の数を第１の出現数とし、前記主題抽出ステップにより抽出された主題と当該主題の上位語との少なくとも何れか一方の数を第２の出現数とした場合に、前記第１の出現数に対する前記第２の出現数の割合を算出する割合算出ステップと、
前記割合算出ステップにより算出された割合に基づいて、前記例示部分候補抽出ステップにより抽出された例示部分候補の中から、文書の例示部分を特定する例示部分特定ステップと、
を備えることを特徴とする例示部分特定方法。
【請求項７】
複数の事象又は事物の上位語と下位語とを対応付けて登録する上位下位語データベースを参照可能なコンピュータを、
文書データを所定の記憶手段から取得する文書取得手段、
前記文書取得手段により取得された文書データに係る文書の中から文書の主題を抽出する主題抽出手段、
前記上位下位語データベースを参照して、前記文書取得手段により取得された文書データに係る文書の中から、前記上位下位語データベースに登録されている語が含まれている文書の構成部分を文書の例示部分候補として抽出する例示部分候補抽出手段、
前記例示部分候補抽出手段により抽出された例示部分候補に含まれる語の数を第１の出現数とし、前記主題抽出手段により抽出された主題と当該主題の上位語との少なくとも何れか一方の数を第２の出現数とした場合に、前記第１の出現数に対する前記第２の出現数の割合を算出する割合算出手段、及び、
前記割合算出手段により算出された割合に基づいて、前記例示部分候補抽出手段により抽出された例示部分候補の中から、文書の例示部分を特定する例示部分特定手段として機能させることを特徴とする例示部分特定プログラム。
【発明の詳細な説明】
【技術分野】
【０００１】
本発明は、文書の要約生成や要点整理を行う装置、及び方法等の技術分野に関する。
【背景技術】
【０００２】
従来から、文書の要約生成や要点整理を行うソフトウェアが開発されている。例えば、特許文献１には、テキスト中での要約構成単位（述部を含む節を最小とする単位）の位置、手がかり語、タイトル、単語の重要度、キーワードなどの情報を手がかりとして、テキスト中における各要約構成単位の重要度を計算し、各要約構成単位に対する重要度に基づいて、最も重要度の高い要約構成単位から順に、利用者が要求する要約長に達するまで順次抽出し、要約結果出力手段が抽出された要約構成単位を元のテキストにおける出現順に並べ、要約結果として出力する技術が開示されている。このような技術の他にも、例えば特許文献２には、分類された談話構成要素にテキストを分割し、談話構成要素を談話の構造表現に結合する技術が開示されている。
【先行技術文献】
【特許文献】
【０００３】
【特許文献１】特開２００９−１４６４４７号公報
【特許文献２】特許第４７０６２２７号公報
【発明の概要】
【発明が解決しようとする課題】
【０００４】
ところで、文書を構成する構成部分（構成要素）の中でも、特に、例示部分は、知識整理、記憶定着に有効である。これは、例えば著者が例示を用いて文書の内容を、読者へ分り易く伝えようとしている（著者の主張である）と考えられるためである。文書中から例示部分を特定する方法として、手がかり語（「たとえば」など）を用いることが考えられる。しかし、文書に手がかり語が含まれていない場合、この方法では、文書中から例示部分を特定することができない。また、文書中から例示部分を特定する方法として、複数文章のまとまりにおいて文章Ａで述べられた事象や状態等の具体的項目が文章Ｂで提示される場合、文章Ｂを例示部分としてすることも考えられる。しかしながら、この方法では、文章間の関係性だけを考慮しているため、例示部分の文章が独立して出現する場合は、例示部分を特定できない。
【０００５】
そこで、本発明は、上記点等に鑑みてなされたものであり、接続詞などの手がかり語が文章中に存在しない場合や、文章間の接続関係を取得できない場合であっても、例示部分を特定することが可能な例示部分特定装置、例示部分特定方法、及び例示部分特定プログラムを提供することを課題とする。
【課題を解決するための手段】
【０００６】
上記課題を解決するために、請求項１に記載の発明は、複数の事象又は事物の上位語と下位語とを対応付けて登録する上位下位語データベースを参照可能な例示部分特定装置であって、文書データを所定の記憶手段から取得する文書取得手段と、前記文書取得手段により取得された文書データに係る文書の中から文書の主題を抽出する主題抽出手段と、前記上位下位語データベースを参照して、前記文書取得手段により取得された文書データに係る文書の中から、前記上位下位語データベースに登録されている語が含まれている文書の構成部分を文書の例示部分候補として抽出する例示部分候補抽出手段と、前記例示部分候補抽出手段により抽出された例示部分候補に含まれる語の数を第１の出現数とし、前記主題抽出手段により抽出された主題と当該主題の上位語との少なくとも何れか一方の数を第２の出現数とした場合に、前記第１の出現数に対する前記第２の出現数の割合を算出する割合算出手段と、前記割合算出手段により算出された割合に基づいて、前記例示部分候補抽出手段により抽出された例示部分候補の中から、文書の例示部分を特定する例示部分特定手段と、を備えることを特徴とする。
【０００７】
請求項２に記載の発明は、請求項１に記載の例示部分特定装置において、前記主題抽出手段により抽出される文書の主題は、前記上位下位語データベースに登録されている語に限られることを特徴とする。
【０００８】
請求項３に記載の発明は、請求項１又は２に記載の例示部分特定装置において、前記例示部分特定手段により特定された例示部分又は当該例示部分の要約を所定の表示手段に表示させるための表示データを出力する表示データ出力手段を更に備えることを特徴とする。
【０００９】
請求項４に記載の発明は、請求項３に記載の例示部分特定装置において、前記表示データは、前記文書取得手段により取得された文書データに係る文書の構成部分又は当該構成部分の要約であって前記例示部分特定手段により特定された例示部分に関係する構成部分又は当該構成部分の要約を、前記例示部分又は当該例示部分の要約に対応付けて表示させるためのデータであることを特徴とする。
【００１０】
請求項５に記載の発明は、請求項４に記載の例示部分特定装置において、前記表示データは、前記例示部分特定手段により特定された例示部分又は当該例示部分の要約の表示可否をユーザの指示に応じて切り換え可能なデータであることを特徴とする。
【００１１】
請求項６に記載の発明は、複数の事象又は事物の上位語と下位語とを対応付けて登録する上位下位語データベースを参照可能なコンピュータにより実行される例示部分特定方法であって、文書データを所定の記憶手段から取得する文書取得ステップと、前記文書取得ステップにより取得された文書データに係る文書の中から文書の主題を抽出する主題抽出ステップと、前記上位下位語データベースを参照して、前記文書取得ステップにより取得された文書データに係る文書の中から、前記上位下位語データベースに登録されている語が含まれている文書の構成部分を文書の例示部分候補として抽出する例示部分候補抽出ステップと、前記例示部分候補抽出ステップにより抽出された例示部分候補に含まれる語の数を第１の出現数とし、前記主題抽出ステップにより抽出された主題と当該主題の上位語との少なくとも何れか一方の数を第２の出現数とした場合に、前記第１の出現数に対する前記第２の出現数の割合を算出する割合算出ステップと、前記割合算出ステップにより算出された割合に基づいて、前記例示部分候補抽出ステップにより抽出された例示部分候補の中から、文書の例示部分を特定する例示部分特定ステップと、を含むことを特徴とする。
【００１２】
請求項７に記載の発明は、複数の事象又は事物の上位語と下位語とを対応付けて登録する上位下位語データベースを参照可能なコンピュータを、文書データを所定の記憶手段から取得する文書取得手段、前記文書取得手段により取得された文書データに係る文書の中から文書の主題を抽出する主題抽出手段、前記上位下位語データベースを参照して、前記文書取得手段により取得された文書データに係る文書の中から、前記上位下位語データベースに登録されている語が含まれている文書の構成部分を文書の例示部分候補として抽出する例示部分候補抽出手段、前記例示部分候補抽出手段により抽出された例示部分候補に含まれる語の数を第１の出現数とし、前記主題抽出手段により抽出された主題と当該主題の上位語との少なくとも何れか一方の数を第２の出現数とした場合に、前記第１の出現数に対する前記第２の出現数の割合を算出する割合算出手段、及び、前記割合算出手段により算出された割合に基づいて、前記例示部分候補抽出手段により抽出された例示部分候補の中から、文書の例示部分を特定する例示部分特定手段として機能させることを特徴とする。
【発明の効果】
【００１３】
本発明によれば、接続詞などの手がかり語が文章中に存在しない場合や、文章間の接続関係を取得できない場合であっても、例示部分を特定することができる。
【図面の簡単な説明】
【００１４】
【図１】本実施形態に係る文書情報提供システムの概要構成例を示す図である。
【図２】制御部２３における例示部分特定処理の一例を示すフローチャートである。
【図３】例示部分候補１〜３それぞれの例示度ｅの例を示す図である。
【図４】（Ａ）は、ユーザ端末１のディスプレイに表示された文書内容閲覧画面の一例を示す図である。（Ｂ）は、ユーザ端末１のディスプレイに表示された要点整理画面の一例を示す図である。
【図５】（Ａ）は、ユーザ端末１のディスプレイに表示された文書内容閲覧画面の一例を示す図である。（Ｂ）は、ユーザ端末１のディスプレイに表示された要点整理画面の一例を示す図である。
【図６】タイトル寄与度をユーザが設定する例を示す図である。
【図７】出現頻度の閾値をユーザが設定する例を示す図である。
【図８】例示度ｅの閾値θをユーザが設定する例を示す図である。
【発明を実施するための形態】
【００１５】
以下、本発明を実施するための実施形態について、図面に基づいて説明する。なお、以下に説明の実施形態は、文書情報提供システムに対して本発明を適用した場合の実施形態である。
【００１６】
先ず、図１を参照して、本実施形態に係る文書情報提供システムの構成及び機能について説明する。図１は、本実施形態に係る文書情報提供システムの概要構成例を示す図である。図１に示すように、文書情報提供システムＳは、ユーザ端末１及び文書情報提供サーバ２等を備えて構成される。ユーザ端末１の例として、タブレット、携帯電話機、スマートフォン、パーソナルコンピュータ等が挙げられる。ユーザ端末１は、ネットワークＮＷを介して文書情報提供サーバ２にアクセスして通信を行うことが可能になっている。ネットワークＮＷは、例えば、インターネット、専用通信回線（例えば、ＣＡＴＶ（Community Antenna Television）回線）、移動体通信網（基地局等を含む）、及びゲートウェイ等により構成される。
【００１７】
文書情報提供サーバ２は、通信部２１、記憶部２２（記憶手段の一例）、及び制御部２３等を備える。通信部２１は、ネットワークＮＷに接続してユーザ端末１との通信状態を制御する。記憶部２２は、例えば、ハードディスクドライブ等により構成されており、オペレーティングシステム及び本発明の例示部分特定プログラム等を記憶する。なお、例示部分特定プログラムは、例えば、所定のサーバ等からネットワークＮＷを介して配信されるようにしても良いし、ＣＤ（Compact Disc）、ＤＶＤ（Digital Versatile Disc）等の記録媒体に記録されて提供されるようにしてもよい。
【００１８】
記憶部２２には、ユーザ端末１へ提供可能な複数の文書データが記憶されている。文書データは、書籍や雑誌等の文書の電子データである。各文書データには、文書データごとに一意の文書ＩＤ（識別子）が付与されている。また、文書データに係る文書（文書データにより表される文書）の構成部分（構成要素）には、それぞれ、要素ＩＤ、要約（要点）、及び意味タグが付与され、これらは文書ＩＤに対応付けられて記憶されている。ここで、文書の構成部分は、文書を構成する一部分であり、例えば文書中の文章が該当する。要素ＩＤは、構成部分ごとに一意の識別子である。要約は、例えば、構成部分を公知の手法で短縮した文、或いは構成部分に含まれる特徴的な語（例えば、名詞）である。意味タグは、構成部分の種別を示すタグであり、例えば、「従来」、「現状」、「例示」等がある。また、記憶部２２には、文書の構成部分間の接続関係を示すデータ（例えば、互いに関係する各構成部分の要素ＩＤが対応付けられたデータ）が、当該文書の文書ＩＤに対応付けられて記憶される。例えば、「従来は紙によって流通・・・」という構成部分と、「一方、現在はデジタルで・・・」という構成部分との接続関係は「対比」である。なお、「従来は紙によって流通・・・」という構成部分の要約は「紙による流通」であり、その意味タグは「従来」である。「一方、現在はデジタルで・・・」という構成部分の要約は「デジタルによる流通」、その意味タグは「現状」である。
【００１９】
また、記憶部２２には、上位下位語データベース２２１が構築されている。上位下位語データベース２２１は、複数の具体的な事象又は事物の上位語と下位語とを対応（関係）付けて登録する。具体的な事象又は事物の上位語と下位語の例としては、以下の（関係例１）〜（関係例３）が挙げられる。
（関係例１）<上位>人→学者→物理学者→地球物理学者→…<下位>
（関係例２）<上位>食品→発酵食品→チーズ→チェダーチーズ→…<下位>
（関係例３）<上位>スポーツ→スポーツ競技→球技→野球→…<下位>
【００２０】
上位下位語データベース２２１は、既存のものを利用してもよいし新たに生成してもよい。なお、関係例１〜３はあくまで一例でり、上位下位語データベース２２１に多数の事象又は事物の上位語と下位語が含まれている。また、事象又は事物の上位語と下位語は名詞であることが望ましい。また、事象又は事物の上位語と下位語は単語であってもよいし複合語であってもよい。なお、上位下位語データベース２２１は、文書情報提供サーバ２内に無くともよく、文書情報提供サーバ２がネットワークＮＷを介してアクセス可能な他のサーバ内に構築されてもよい。
【００２１】
本実施形態では、上述した意味タグの中でも、特に、「例示」に着目し、文書を構成する複数の構成部分の中から、文書の例示部分を特定する方法について詳しく説明する。
【００２２】
制御部２３は、ＣＰＵ（Central Processing Unit）、ＲＯＭ（Read Only Memory）、ＲＡＭ（Random Access Memory）等により構成される。制御部２３は、本発明の例示部分特定装置及びコンピュータの一例である。制御部２３は、例示部分特定プログラムを実行することにより、本発明における文書取得手段、主題抽出手段、例示部分候補抽出手段、割合算出手段、例示部分特定手段、及び表示データ出力手段等として機能し、例示部分特定処理を実行する。制御部２３は、例示部分特定処理において、上位下位語データベース２２１を参照する。
【００２３】
ところで、具体的な事象又は事物を表す単語や複合語が含まれている文章は例示になりやすいが、そのような単語や複合語であっても、必ずしも例示とはならない場合がある。そのため、本実施形態に係る例示部分特定処理では、語の上位下位語（上位下位概念）と文書の主題を比較し、例示であるかを判断するというものである。
【００２４】
図２は、制御部２３における例示部分特定処理の一例を示すフローチャートである。図２に示す処理は、例えばオペレータの端末からの指示があった場合に開始される。図１に示す処理が開始されると、制御部２３は、未処理の文書データを記憶部２２または他の装置の記憶手段から取得する（例えばＲＡＭに読み込む）（ステップＳ１）。
【００２５】
次いで、制御部２３は、ステップＳ１で取得した文書データに係る文書の中から文書の主題を抽出する（ステップＳ２）。例えば、制御部２３は、文書のタイトルに含まれる語を文書の主題として１つ又は複数決定する。また、主題は、文書中の章，節といったセクションごとに付されたタイトルに含まれる語から抽出されるように構成してもよい。また、主題は、文書中の目次や索引に含まれる語から抽出されるように構成してもよい。また、主題は、文書中の出現頻度が高い語（頻出語）から抽出されるように構成してもよい。この場合、出現頻度が高いか否かを判定するために、出現頻度の閾値が予め設定される。また、主題は、文書のタイトルに含まれる語（文書中の章，節といったセクションごとに付されたタイトルに含まれる語や、文書中の目次や索引に含まれる語を含めてもよい）の中で、文章中の出現頻度が高い語から抽出されるように構成してもよい。或いは、文書のタイトルに含まれる語（文書中の章，節といったセクションごとに付されたタイトルに含まれる語や、文書中の目次や索引に含まれる語を含めてもよい）と、文章中の出現頻度が高い語とを区別し、タイトルに含まれる語の寄与度（タイトルに含まれる語へ付与する重み）を高くしたり低くしたりすることで、決定される主題の数（主題の種類の数）が変わるように構成してもよい。
【００２６】
なお、一般に主題は具体的な事象又は事物を表すものであるので、ステップＳ２で抽出される主題は、上位下位語データベース２２１に登録されている語（上位語又は下位語）に限られることが望ましい。
【００２７】
次いで、制御部２３は、上位下位語データベース２２１を参照して、ステップＳ１で取得した文書データに係る文書の中から、上位下位語データベース２２１に登録されている語が含まれている文書の構成部分を、文書の例示部分候補として抽出する（ステップＳ３）。つまり、制御部２３は、文書の構成部分に含まれる語が、上位下位語データベース２２１に登録されているかどうかを、文章の構成部分ごとにチェックし、文書の構成部分に含まれる語のうち一つでも上位下位語データベース２２１に登録されていれば、当該構成部分を例示部分の候補として抽出する。
【００２８】
次いで、制御部２３は、ステップＳ３で抽出した例示部分候補に含まれる語の数を第１の出現数（頻度）ｎ１とし、ステップＳ２で抽出した主題と当該主題の上位語との少なくとも何れか一方の数を第２の出現数ｎ２とした場合に、第１の出現数ｎ１に対する第２の出現数ｎ２の割合（ｎ２／ｎ１）を算出し、算出した割合に基づいて例示部分候補の例示度ｅ（＝１−（ｎ２／ｎ１）：０≦ｅ≦１）を、例示部分候補ごとに算出する（ステップＳ４）。ここで、割合は、主題に沿っているかどうかの程度を示し、この割合の値が高いと、主題に沿っていることを示す。また、例示部分候補の例示度ｅは、例示部分候補に含まれる語の上位下位概念と文書の主題との関連度を示し、この例示度の値が高いと、例示部分候補は文書中の例示である可能性が高いことを示す。
【００２９】
次いで、制御部２３は、ステップＳ４で算出した例示度ｅに基づいて（つまり、割合（ｎ２／ｎ１）に基づいて）、ステップＳ３で抽出した例示部分候補の中から、文書の例示部分を特定（決定）する（ステップＳ５）。例えば、例示度ｅが高いか否かを判定するために、例示度の閾値θ（０≦θ≦１）が予め設定される。そして、制御部２３は、例示度ｅが閾値θ以上である（ｅ≧θ）か否かを判定し、例示度ｅが閾値θ以上である例示部分候補を文書の例示部分として特定する。一方、例示度ｅが閾値θ未満である（ｅ＜θ）例示部分候補は例示部分として特定されない。
【００３０】
図３は、例示部分候補１〜３それぞれの例示度ｅの例を示す図である。図３に示す例示部分候補１〜３それぞれの例示度ｅは、図３に示す式（１）により算出されたものである。この場合において、例えば閾値θが“０．３”に設定された場合、図３に示す例示部分候補１〜３の中で、例示部分候補３だけが例示部分として特定されることになる。このような閾値θは、システム運営者又はシステム利用者により任意に設定されるように構成してもよい。
【００３１】
このように例示部分が特定されると、特定された例示部分に対して意味タグ「例示」が付与され（当該例示部分の要素ＩＤに対応付けられ）、当該付与された意味タグ「例示」が記憶部２２に記憶される。
【００３２】
以上説明したように、上記例示部分特定処理によれば、接続詞などの手がかり語が文章中に存在しない場合や、文章間の接続関係を取得できない場合であっても、例示部分を効率良く特定することができる。
【００３３】
次に、上記例示部分特定処理により特定された例示部分に付与された意味タグの利用例について説明する。前提として、ユーザ端末１は文書情報提供サーバ２から所望の文書データ（文書ＩＤ及び要素ＩＤが付加される）をダウンロードし、文書データに係る文書の一部を含む文書内容閲覧画面がユーザ端末１のディスプレイ（表示手段の一例）に表示されているものとする。
【００３４】
図４（Ａ）は、ユーザ端末１のディスプレイに表示された文書内容閲覧画面の一例を示す図である。図４（Ａ）に示す文書内容閲覧画面の表示状態において、ユーザ端末１のユーザが、図４（Ａ）に示すように、所望の文章（文書の構成部分の一例）を指等で指定すると、ユーザ端末１は文書情報提供サーバ２にアクセスして、当該指定された文章の要素ＩＤを含むリクエストを送信する。これに応じて、文書情報提供サーバ２は、ユーザにより指定された文章（要素ＩＤ）と関係する他の文章（上記特定された例示部分を含む）又はそれら文章の要約をディスプレイに表示させる表示データ（指定された文章と関係する他の文章との間の接続関係を示すデータを含む）をユーザ端末１へ返信（出力）する。この表示データは、文書データに係る文書の構成部分（又は当該構成部分の要約）であって、上記特定された例示部分に関係する構成部分（又は当該構成部分の要約）を、例示部分（又は当該例示部分の要約）に対応付けて表示させるためのデータである。そして、ユーザ端末１は、文書情報提供サーバ２から送信された表示データを受信すると要点整理画面をディスプレイに表示する。
【００３５】
図４（Ｂ）は、ユーザ端末１のディスプレイに表示された要点整理画面の一例を示す図である。図４（Ｂ）において、「携帯電話」、「スマフォ」、及び「タブレット」が上述したように特定された例示部分の要約（要点）である。また、文書情報提供サーバ２からユーザ端末１へ返信される表示データは、ユーザにより指定された文章と関係する例示部分又は当該例示部分の要約の表示可否をユーザの指示に応じて切り替え可能なデータであってもよい。この場合、図５（Ｂ）に示すような要点整理画面がディスプレイに表示される。図５（Ｂ）において破線及び破線内に示される部分の表示は、ユーザの指示に応じて切り換え可能になっている。つまり、例示を非表示にし、本論だけを表示するという構成をとることもできる。なお、文書情報提供サーバ２からユーザ端末１へ返信される表示データは、ユーザにより指定された文章に関係する例示部分又は当該例示部分の要約だけをディスプレイに表示させるための表示データであってもよい。
【００３６】
なお、上記実施形態において、文書のタイトルに含まれる語と、文章中の出現頻度が高い語（頻出語）とを区別し、タイトルに含まれる語の寄与度（以下、「タイトル寄与度」という）を高くしたり低くしたりする構成について説明したが、このタイトル寄与度をユーザが任意に設定できるように構成してもよい。また、出現頻度が高いか否かを判定するための出現頻度の閾値をユーザが任意に設定できるように構成してもよい。更に、例示度ｅが高いか否かを判定するための閾値θをユーザが任意に設定できるように構成してもよい。
【００３７】
図６は、タイトル寄与度をユーザが設定する例を示す図である。図６（Ａ）に示す要点整理画面の表示状態において、ユーザ端末１のユーザが、図６（Ａ）に示すように、タイトル寄与度を変えるためのスライダ５１を右又は左に移動させることでタイトル寄与度が変更される。このように変更されたタイトル寄与度は、当該文書の文書ＩＤ及び画面に要約が表示されている構成部分の要素ＩＤ等と共に、ユーザ端末１から文書情報提供サーバ２へ送信される。これにより、文書情報提供サーバ２は、図２に示す例示部分特定処理を行い、再度、例示部分を特定し、特定された例示部分又はその要約等をディスプレイに表示させる表示データをユーザ端末１へ返信することで、図６（Ｂ）又は（Ｃ）に示すように、例示の表示数が増加又は減少することになる。
【００３８】
図７は、出現頻度の閾値をユーザが設定する例を示す図である。図７（Ａ）に示す要点整理画面の表示状態において、ユーザ端末１のユーザが、図７（Ａ）に示すように、出現頻度の閾値を変えるためのスライダ５２を右又は左に移動させることで出現頻度の閾値が変更される。このように変更された出現頻度の閾値は、当該文書の文書ＩＤ及び画面に要約が表示されている構成部分の要素ＩＤ等と共に、ユーザ端末１から文書情報提供サーバ２へ送信される。これにより、文書情報提供サーバ２は、図２に示す例示部分特定処理を行い、再度、例示部分を特定し、特定された例示部分又はその要約等をディスプレイに表示させる表示データをユーザ端末１へ返信することで、図７（Ｂ）又は（Ｃ）に示すように、例示の表示数が増加又は減少することになる。
【００３９】
図８は、例示度ｅの閾値θをユーザが設定する例を示す図である。図８（Ａ）に示す要点整理画面の表示状態において、ユーザ端末１のユーザが、図８（Ａ）に示すように、例示度ｅの閾値θを変えるためのスライダ５３を右又は左に移動させることで例示度ｅの閾値θが変更される。このように変更された例示度ｅの閾値θは、当該文書の文書ＩＤ及び画面に要約が表示されている構成部分の要素ＩＤ等と共に、ユーザ端末１から文書情報提供サーバ２へ送信される。これにより、文書情報提供サーバ２は、図２に示す例示部分特定処理を行い、再度、例示部分を特定し、特定された例示部分又はその要約等をディスプレイに表示させる表示データをユーザ端末１へ返信することで、図８（Ｂ）又は（Ｃ）に示すように、例示の表示数が増加又は減少することになる。
【００４０】
以上説明したように、タイトル寄与度、出現頻度の閾値、または例示度ｅの閾値θをユーザが任意に設定できるように構成すれば、ユーザは要点整理画面に表示された例示部分の要約を見ながら、適宜、例示の表示数を変えることができるので、よりユーザの意向に沿った例示を表示させることができる。
【００４１】
なお、上記実施形態においては、文書情報提供サーバ２が例示部分特定処理を行うように構成したが、別の例として、上位下位語データベース２２１にアクセス可能なユーザ端末１が例示部分特定処理を行うように構成してもよい。この場合、ユーザ端末１の制御部（コンピュータ及び情報処理装置の一例）が本発明の例示部分特定プログラムを実行することにより、本発明における文書取得手段、主題抽出手段、例示部分候補抽出手段、割合算出手段、例示部分特定手段、及び表示データ出力手段等として機能することになる。
【符号の説明】
【００４２】
１  ユーザ端末１
２  文書情報提供サーバ
２１  通信部
２２  記憶部
２３  制御部
【図１】
2014174744.tif 000003
【図２】
2014174744.tif 000004
【図３】
2014174744.tif 000005
【図４】
2014174744.tif 000006
【図５】
2014174744.tif 000007
【図６】
2014174744.tif 000008
【図７】
2014174744.tif 000009
【図８】
2014174744.tif 000010